【手続補正書】
【提出日】令和1年5月21日(2019.5.21)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）のワイヤレス通信の方法であって、前記方法は、
車両間（Ｖ２Ｖ）通信に必要とされる少なくとも１つのリソースパターンを決定することと、
基地局に、半永続的スケジュール（ＳＰＳ）要求中の支援情報を送ること、ここにおいて、前記支援情報は、前記少なくとも１つのリソースパターンに関連する、と、
前記基地局から、前記少なくとも１つのリソースパターンに関連する応答を受信することと、前記応答が、承認されたリソースパターンのインデックスを備える、
前記基地局から、前記少なくとも１つのリソースパターンのためのリソース割当てのためのアクティブ化許可を受信することと、前記アクティブ化許可が、承認されたリソースパターンの前記インデックスを備える、
を備える、方法。
【請求項２】
前記支援情報は、前記Ｖ２Ｖ通信のためのターゲット範囲、前記Ｖ２Ｖ通信の電力、前記Ｖ２Ｖ通信に必要とされる前記少なくとも１つのリソースパターンの周期性、前記Ｖ２Ｖ通信におけるレイテンシ、前記Ｖ２Ｖ通信に関連する送信タイプ、システムフレーム番号（ＳＦＮ）に関するリソースオフセット、または前記少なくとも１つのリソースパターンが必要とされる時間の長さのうちの１つまたは複数に関連する情報を含む、請求項１に記載の方法。
【請求項３】
前記支援情報が媒体アクセス制御（ＭＡＣ）ヘッダまたは無線リソース制御（ＲＲＣ）メッセージの制御要素中で送られ、
前記少なくとも１つのリソースパターンに関連する前記応答がＲＲＣ許可中で受信され、
前記アクティブ化許可がデータチャネル情報（ＤＣＩ）許可中で受信される、
請求項１に記載の方法。
【請求項４】
前記少なくとも１つのリソースパターンが複数のリソースパターンを備え、
前記複数のリソースパターンの各リソースパターンが別個のＶ２Ｖ通信に関連する、請求項１に記載の方法。
【請求項５】
前記少なくとも１つのリソースパターンに関連する前記支援情報を前記送ることが、複数の個々の送信を送ることを備え、前記複数の個々の送信の各々が、異なるリソースパターンに関連する、請求項４に記載の方法。
【請求項６】
前記少なくとも１つのリソースパターンに関連する前記支援情報を前記送ることが、前記少なくとも１つのリソースパターンに関連する単一の送信を送ることを備える、請求項４に記載の方法。
【請求項７】
前記リソース割当てに基づいて前記Ｖ２Ｖ通信を実行することをさらに備える、請求項１に記載の方法。
【請求項８】
前記基地局から、前記リソース割当てを非アクティブにする、前記少なくとも１つのリソースパターンに関連する非アクティブ化許可を受信することをさらに備え、前記非アクティブ化許可が、非アクティブにされるリソースパターンのインデックスを備える、請求項１に記載の方法。
【請求項９】
前記アクティブ化許可または前記非アクティブ化許可のうちの１つまたは複数がダウンリンク制御情報（ＤＣＩ）許可中で受信される、請求項８に記載の方法。
【請求項１０】
前記少なくとも１つのリソースパターンに関連する前記応答中に含まれる無線ネットワーク一時識別子（ＲＮＴＩ）を使用して前記アクティブ化許可を処理することによって前記リソース割当てを決定することをさらに備える、請求項１に記載の方法。
【請求項１１】
ワイヤレス通信のための装置であって、
車両間（Ｖ２Ｖ）通信に必要とされる少なくとも１つのリソースパターンを決定するための手段と、
基地局に、半永続的スケジュール（ＳＰＳ）要求中の支援情報を送るための手段、ここにおいて、前記支援情報は、前記少なくとも１つのリソースパターンに関連する、と、
前記基地局から、前記少なくとも１つのリソースパターンに関連する応答を受信するための手段と、前記応答が、承認されたリソースパターンのインデックスを備える、
前記基地局から、前記少なくとも１つのリソースパターンのためのリソース割当てのためのアクティブ化許可を受信するための手段と、前記アクティブ化許可が、承認されたリソースパターンの前記インデックスを備える、
を備える、装置。
【請求項１２】
前記支援情報は、前記Ｖ２Ｖ通信のためのターゲット範囲、前記Ｖ２Ｖ通信の電力、前記Ｖ２Ｖ通信に必要とされる前記少なくとも１つのリソースパターンの周期性、前記Ｖ２Ｖ通信におけるレイテンシ、前記Ｖ２Ｖ通信に関連する送信タイプ、システムフレーム番号（ＳＦＮ）に関するリソースオフセット、または前記少なくとも１つのリソースパターンが必要とされる時間の長さのうちの１つまたは複数に関連する情報を含む、請求項１１に記載の装置。
【請求項１３】
前記支援情報が媒体アクセス制御（ＭＡＣ）ヘッダまたは無線リソース制御（ＲＲＣ）メッセージの制御要素中で送られ、
前記支援情報に関連する前記応答がＲＲＣ許可中で受信され、
前記アクティブ化許可がデータチャネル情報（ＤＣＩ）許可中で受信される、
請求項１１に記載の装置。
【請求項１４】
前記少なくとも１つのリソースパターンが複数のリソースパターンを備え、
前記複数のリソースパターンの各リソースパターンが別個のＶ２Ｖ通信に関連し、
前記少なくとも１つのリソースパターンに関連する前記支援情報を送るための前記手段が、複数の個々の送信を送るように構成され、前記複数の個々の送信の各々が、異なるリソースパターンに関連する、または
前記少なくとも１つのリソースパターンに関連する前記支援情報を送るための前記手段が、前記少なくとも１つのリソースパターンに関連する情報を含む単一の送信を送るように構成された、請求項１１に記載の装置。
【請求項１５】
車両間（Ｖ２Ｖ）通信に必要とされる少なくとも１つのリソースパターンを決定することと、
基地局に、半永続的スケジュール（ＳＰＳ）要求中の支援情報を基地局に送ること、ここにおいて、前記支援情報は、前記少なくとも１つのリソースパターン関連する、と、
前記基地局から、前記少なくとも１つのリソースパターンに関連する応答を受信することと、前記応答が、承認されたリソースパターンのインデックスを備える、
前記基地局から、前記少なくとも１つのリソースパターンのためのリソース割当てのためのアクティブ化許可を受信することと、前記アクティブ化許可が、承認されたリソースパターンの前記インデックスを備える、
を行うためのコードを備える、コンピュータ実行可能コードを記憶するコンピュータ可読媒体。
【手続補正２】
【補正対象書類名】明細書
【補正対象項目名】００７８
【補正方法】変更
【補正の内容】
【００７８】
[0088]以上の説明は、当業者が本明細書で説明された様々な態様を実施できるようにするために与えられた。これらの態様への様々な変更は当業者には容易に明らかであり、本明細書で定義された一般原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書で説明されるいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明された様々な態様の要素のすべての構造的および機能的等価物は、参照により本明細書に明確に組み込まれ、特許請求の範囲に包含されるものである。その上、本明細書で開示されるいかなることも、そのような開示が特許請求の範囲に明示的に具陳されているかどうかにかかわらず、公に供するものではない。「モジュール」、「機構」、「要素」、「デバイス」などという単語は、「手段」という単語のための代用でないことがある。したがって、いかなるクレーム要素も、その要素が「ための手段」という句を使用して明確に具陳されていない限り、ミーンズプラスファンクションとして解釈されるべきではない。
以下に、本願出願の当初の特許請求の範囲に記載された発明を付記する。
［Ｃ１］
ユーザ機器（ＵＥ）のワイヤレス通信の方法であって、前記方法は、
車両間（Ｖ２Ｖ）通信に必要とされる少なくとも１つのリソースパターンを決定することと、
前記少なくとも１つのリソースパターンに関連する支援情報を基地局に送ることと、  前記基地局から、前記少なくとも１つのリソースパターンに関連する応答を受信することと、前記応答が、承認されたリソースパターンのインデックスを備える、
前記基地局から、前記少なくとも１つのリソースパターンのためのリソース割当てのためのアクティブ化許可を受信することと、前記アクティブ化許可が、承認されたリソースパターンの前記インデックスを備える、
を備える、方法。
［Ｃ２］
前記支援情報が半永続的スケジュール（ＳＰＳ）要求中に含まれる、［Ｃ１］に記載の方法。
［Ｃ３］
前記支援情報は、前記Ｖ２Ｖ通信のためのターゲット範囲、前記Ｖ２Ｖ通信の電力、前記Ｖ２Ｖ通信に必要とされる前記少なくとも１つのリソースパターンの周期性、前記Ｖ２Ｖ通信におけるレイテンシ、前記Ｖ２Ｖ通信に関連する送信タイプ、システムフレーム番号（ＳＦＮ）に関するリソースオフセット、または前記少なくとも１つのリソースパターンが必要とされる時間の長さのうちの１つまたは複数に関連する情報を含む、［Ｃ１］に記載の方法。
［Ｃ４］
前記支援情報が媒体アクセス制御（ＭＡＣ）ヘッダまたは無線リソース制御（ＲＲＣ）メッセージの制御要素中で送られ、
前記少なくとも１つのリソースパターンに関連する前記応答がＲＲＣ許可中で受信され、
前記アクティブ化許可がデータチャネル情報（ＤＣＩ）許可中で受信される、
［Ｃ１］に記載の方法。
［Ｃ５］
前記少なくとも１つのリソースパターンが複数のリソースパターンを備え、
前記複数のリソースパターンの各リソースパターンが別個のＶ２Ｖ通信に関連する、［Ｃ１］に記載の方法。
［Ｃ６］
前記少なくとも１つのリソースパターンに関連する前記支援情報を前記送ることが、複数の個々の送信を送ることを備え、前記複数の個々の送信の各々が、異なるリソースパターンに関連する、［Ｃ５］に記載の方法。
［Ｃ７］
前記少なくとも１つのリソースパターンに関連する前記支援情報を前記送ることが、前記少なくとも１つのリソースパターンに関連する単一の送信を送ることを備える、［Ｃ５］に記載の方法。
［Ｃ８］
前記リソース割当てに基づいて前記Ｖ２Ｖ通信を実行することをさらに備える、［Ｃ１］に記載の方法。
［Ｃ９］
前記基地局から、前記リソース割当てを非アクティブにする、前記少なくとも１つのリソースパターンに関連する非アクティブ化許可を受信することをさらに備え、前記非アクティブ化許可が、非アクティブにされるリソースパターンのインデックスを備える、［Ｃ１］に記載の方法。
［Ｃ１０］
前記アクティブ化許可または前記非アクティブ化許可のうちの１つまたは複数がダウンリンク制御情報（ＤＣＩ）許可中で受信される、［Ｃ９］に記載の方法。
［Ｃ１１］
前記少なくとも１つのリソースパターンに関連する前記応答中に含まれる無線ネットワーク一時識別子（ＲＮＴＩ）を使用して前記アクティブ化許可を処理することによって前記リソース割当てを決定することをさらに備える、［Ｃ１］に記載の方法。
［Ｃ１２］
ワイヤレス通信のための装置であって、
メモリと、
前記メモリに結合された少なくとも１つのプロセッサと
を備え、前記少なくとも１つのプロセッサは、
車両間（Ｖ２Ｖ）通信に必要とされる少なくとも１つのリソースパターンを決定することと、
前記少なくとも１つのリソースパターンに関連する支援情報を基地局に送ることと、    前記基地局から、前記少なくとも１つのリソースパターンに関連する応答を受信することと、前記応答が、承認されたリソースパターンのインデックスを備える、
前記基地局から、前記少なくとも１つのリソースパターンのためのリソース割当てのためのアクティブ化許可を受信することと、前記アクティブ化許可が、承認されたリソースパターンの前記インデックスを備える、
を行うように構成された、装置。
［Ｃ１３］
前記支援情報が半永続的スケジュール（ＳＰＳ）要求中に含まれる、［Ｃ１２］に記載の装置。
［Ｃ１４］
前記支援情報は、前記Ｖ２Ｖ通信のためのターゲット範囲、前記Ｖ２Ｖ通信の電力、前記Ｖ２Ｖ通信に必要とされる前記少なくとも１つのリソースパターンの周期性、前記Ｖ２Ｖ通信におけるレイテンシ、前記Ｖ２Ｖ通信に関連する送信タイプ、システムフレーム番号（ＳＦＮ）に関するリソースオフセット、または前記少なくとも１つのリソースパターンが必要とされる時間の長さのうちの１つまたは複数を含む、［Ｃ１２］に記載の装置。
［Ｃ１５］
前記支援情報が媒体アクセス制御（ＭＡＣ）ヘッダまたは無線リソース制御（ＲＲＣ）メッセージの制御要素中で送られ、
前記支援情報に関連する前記応答がＲＲＣ許可中で受信され、
前記アクティブ化許可がデータチャネル情報（ＤＣＩ）許可中で受信される、
［Ｃ１２］に記載の装置。
［Ｃ１６］
前記少なくとも１つのリソースパターンが複数のリソースパターンを備え、
前記複数のリソースパターンの各リソースパターンが別個のＶ２Ｖ通信に関連する、［Ｃ１２］に記載の装置。
［Ｃ１７］
前記少なくとも１つのプロセッサが、複数の個々の送信を送ることによって、前記少なくとも１つのリソースパターンに関連する前記支援情報を送るように構成され、前記複数の個々の送信の各々が、異なるリソースパターンに関連する、［Ｃ１２］に記載の装置。
［Ｃ１８］
前記少なくとも１つのプロセッサが、前記少なくとも１つのリソースパターンに関連する単一の送信を送ることによって、前記少なくとも１つのリソースパターンに関連する前記支援情報を送るように構成された、［Ｃ１２］に記載の装置。
［Ｃ１９］
前記少なくとも１つのプロセッサが、前記リソース割当てに基づいて前記Ｖ２Ｖ通信を実行するようにさらに構成された、［Ｃ１２］に記載の装置。
［Ｃ２０］
前記少なくとも１つのプロセッサが、前記基地局から、前記リソース割当てを非アクティブにする、前記少なくとも１つのリソースパターンに関連する非アクティブ化許可を受信するようにさらに構成され、前記非アクティブ化許可が、非アクティブにされるリソースパターンのインデックスを備える、［Ｃ１２］に記載の装置。
［Ｃ２１］
前記アクティブ化許可または前記非アクティブ化許可のうちの１つまたは複数がダウンリンク制御情報（ＤＣＩ）許可中で受信される、［Ｃ２０］に記載の装置。
［Ｃ２２］
前記少なくとも１つのプロセッサが、前記少なくとも１つのリソースパターンに関連する前記応答中に含まれる無線ネットワーク一時識別子（ＲＮＴＩ）を使用して前記アクティブ化許可を処理することによって前記リソース割当てを決定するようにさらに構成された、［Ｃ１２］に記載の装置。
［Ｃ２３］
ワイヤレス通信のための装置であって、
車両間（Ｖ２Ｖ）通信に必要とされる少なくとも１つのリソースパターンを決定するための手段と、
前記少なくとも１つのリソースパターンに関連する支援情報を基地局に送るための手段と、
前記基地局から、前記少なくとも１つのリソースパターンに関連する応答を受信するための手段と、前記応答が、承認されたリソースパターンのインデックスを備える、
前記基地局から、前記少なくとも１つのリソースパターンのためのリソース割当てのためのアクティブ化許可を受信するための手段と、前記アクティブ化許可が、承認されたリソースパターンの前記インデックスを備える、
を備える、装置。
［Ｃ２４］
前記支援情報が半永続的スケジュール（ＳＰＳ）要求中に含まれる、［Ｃ２３］に記載の装置。
［Ｃ２５］
前記支援情報は、前記Ｖ２Ｖ通信のためのターゲット範囲、前記Ｖ２Ｖ通信の電力、前記Ｖ２Ｖ通信に必要とされる前記少なくとも１つのリソースパターンの周期性、前記Ｖ２Ｖ通信におけるレイテンシ、前記Ｖ２Ｖ通信に関連する送信タイプ、システムフレーム番号（ＳＦＮ）に関するリソースオフセット、または前記少なくとも１つのリソースパターンが必要とされる時間の長さのうちの１つまたは複数に関連する情報を含む、［Ｃ２３］に記載の装置。
［Ｃ２６］
前記支援情報が媒体アクセス制御（ＭＡＣ）ヘッダまたは無線リソース制御（ＲＲＣ）メッセージの制御要素中で送られ、
前記支援情報に関連する前記応答がＲＲＣ許可中で受信され、
前記アクティブ化許可がデータチャネル情報（ＤＣＩ）許可中で受信される、
［Ｃ２３］に記載の装置。
［Ｃ２７］
前記少なくとも１つのリソースパターンが複数のリソースパターンを備え、
前記複数のリソースパターンの各リソースパターンが別個のＶ２Ｖ通信に関連する、［Ｃ２３］に記載の装置。
［Ｃ２８］
前記少なくとも１つのリソースパターンに関連する前記支援情報を送るための前記手段が、複数の個々の送信を送るように構成され、前記複数の個々の送信の各々が、異なるリソースパターンに関連する、［Ｃ２７］に記載の装置。
［Ｃ２９］
前記少なくとも１つのリソースパターンに関連する前記支援情報を送るための前記手段が、前記少なくとも１つのリソースパターンに関連する情報を含む単一の送信を送るように構成された、［Ｃ２７］に記載の装置。
［Ｃ３０］
車両間（Ｖ２Ｖ）通信に必要とされる少なくとも１つのリソースパターンを決定することと、
前記少なくとも１つのリソースパターン関連する支援情報を基地局に送ることと、
前記基地局から、前記少なくとも１つのリソースパターンに関連する応答を受信することと、前記応答が、承認されたリソースパターンのインデックスを備える、
前記基地局から、前記少なくとも１つのリソースパターンのためのリソース割当てのためのアクティブ化許可を受信することと、前記アクティブ化許可が、承認されたリソースパターンの前記インデックスを備える、
を行うためのコードを備える、コンピュータ実行可能コードを記憶するコンピュータ可読媒体。